(57)【特許請求の範囲】
【請求項１】
目盛り及び文字等の意匠が形成された表示板と、
前記表示板の背面側において前記表示板から離間して配置され、前記表示板を背面側から照明する第１光源と、
前記表示板の表面側において前記表示板から離間して配置され、前記表示板を表面側から照明する第２光源と、
前記表示板の表示面を囲むような形状で開口して、前記表面側における前記表示面以外の部分を隠匿するための、前記表示板と平行な面と前記表示板と略垂直な面とで構成された、暗色系の見返しと、
を有する計器において、
前記見返しの、前記表示板と略垂直な面が三角形状の溝状に掘り下げられるようにして形成され、前記第２光源から発せられて前記表示面以外に向かう光を規制することにより、前記表面側における前記表示面以外の部分よりも前記表示面を相対的に明るくなるようにする規制部、
を有することを特徴とする計器。
【請求項２】
請求項１記載の計器において、
前記第２光源を点灯又は非点灯のいずれかに点灯制御する点灯制御手段、
を更に有することを特徴とする計器。
【請求項３】
請求項２記載の計器において、
前記第１光源から発せられて前記表示板を透過した光の色と、前記第２光源から発せられて前記表示板を照射する光の色と、が異なるようにした、
ことを特徴とする計器。
【請求項４】
請求項１〜請求項３のいずれか一項に記載の計器において、
前記見返しの前方に覆設されるスモーク系の表ガラス、
を更に有することを特徴とする計器。
【請求項５】
請求項１〜請求項４のいずれか一項に記載の計器において、
前記意匠を指示する指針を有するアナログ式の計器であって、
前記指針の基端部に覆設される指針キャップは、
その裾部に前記第２光源から発せられて前記表示板を照射する光が直接当たるような形状になっている、
ことを特徴とする計器。
【発明の詳細な説明】
【技術分野】
【０００１】
本発明は、車両等に搭載される計器に関し、特に、その表示板が背面側から表示されると共に表面側からも照明されるタイプの計器に関する。
【背景技術】
【０００２】
従来、車両等に搭載される計器において、その表示板（文字板ともよばれる）が背面側から表示されると共に表面側からも照明されるタイプの計器が、例えば、下記特許文献１及び特許文献２にて提案されている。図１０は、インスツルメントパネルに装着されたこの種の従来の計器を示す断面図である。図１１は、図１０の計器における表示板を示す正面図である。
【０００３】
図１０に示すように、従来の計器９５０は、車両のインスツルメントパネル９４０に装着され、速度や各種ワーニング等を表示する表示板９０を備えている。表示板９０は、図示しない第１光源によって背面側から照明されると共に、表示板９０から離間して配置された第２光源９２１によって表面側から照明される。第２光源９２１は光源収容部９２０に収容され、この光源収容部９２０及び表示板９０を覆うように表ガラス９３０が取り付けられている。
【０００４】
表示板９０には、図１１に示すように、速度ゲージ９２や水温ゲージ９７、燃料残量ゲージ９８が配設されると共に、方向指示意匠９６や各種ワーニング意匠９９等が形成されている。例えば、中央に配置される速度ゲージ９２には、リング状の見返し９１が取り付けられると共に、指針９３によって指示される目盛り９４や数字９５等の意匠が形成されている。
【０００５】
このような構成によって、表示板９０は、第１光源によって背面側から照明されると共に、第２光源９２１によって表面側から照明されて、表示板を背面のみから照明する一般的なタイプの計器と比べて、装飾性が高められている。
【特許文献１】特開２００３−２０２２４６号公報
【特許文献２】特開２００４−１５７０８４号公報
【発明の開示】
【発明が解決しようとする課題】
【０００６】
ところが、上述のような従来の計器９５０において、第２光源９２１からの光は単に表示板９０の方向に向けて照射されているだけである。すなわち、第２光源９２１からの光は、表示板９０以外の部分にも照射されているため、表示板９０の照明効果があまりよくなかった。これにともなって、表示板９０の装飾性や視認性にもさらなる改善の余地があった。
【０００７】
よって本発明は、上述した現状に鑑み、この種のタイプの計器において、表示板に対する照明効果を向上させて、表示板の装飾性や視認性を高めることができる計器を提供することを課題としている。
【課題を解決するための手段】
【０００８】
上記課題を解決するためになされた請求項１記載の計器は、目盛り及び文字等の意匠が形成された表示板と、前記表示板の背面側において前記表示板から離間して配置され、前記表示板を背面側から照明する第１光源と、前記表示板の表面側において前記表示板から離間して配置され、前記表示板を表面側から照明する第２光源と、前記表示板の表示面を囲むような形状で開口して、前記表面側における前記表示面以外の部分を隠匿するための、前記表示板と平行な面と前記表示板と略垂直な面とで構成された、暗色系の見返しと、を有する計器において、前記見返しの、前記表示板と略垂直な面が三角形状の溝状に掘り下げられるようにして形成され、前記第２光源から発せられて前記表示面以外に向かう光を規制することにより、前記表面側における前記表示面以外の部分よりも前記表示面が相対的に明るくなるようにする規制部、を有することを特徴とする。
【０００９】
請求項１記載の発明によれば、第１光源によって表示板が背面側から照明され、第２光源によって表示板の表面側が照明される。特に、第２光源から発せられて表示面以外に向かう光は規制部で規制される。よって、表示面が相対的に明るくなる。
【００１０】
上記課題を解決するためになされた請求項２記載の計器は、請求項１記載の計器において、前記第２光源を点灯又は非点灯のいずれかに点灯制御する点灯制御手段、を更に有することを特徴とする。
【００１１】
請求項２記載の発明によれば、第２光源は点灯又は非点灯のいずれかに制御される。よって、一般的な背面からの照明と第２光源による照射照明との切替え表示が可能になる。
【００１２】
上記課題を解決するためになされた請求項３記載の計器は、請求項２記載の計器において、前記第１光源から発せられて前記表示板を透過した光の色と、前記第２光源から発せられて前記表示板を照射する光の色と、が異なるようにした、ことを特徴とする。
【００１３】
請求項３記載の発明によれば、第１光源から発せられて表示板を透過した光の色と、第２光源から発せられて表示板を照射する光の色とが異なるので、表示面の注目度が増す。
【００１４】
上記課題を解決するためになされた請求項４記載の計器は、請求項１〜請求項３のいずれか一項に記載の計器において、前記見返しの前方に覆設されるスモーク系の表ガラス、を更に有することを特徴とする。
【００１５】
請求項４記載の発明によれば、見返しの前方にスモーク系の表ガラスが覆設されているので、表示面がより一層鮮やかに浮かびあがる。
【００１６】
上記課題を解決するためになされた請求項５記載の計器は、請求項１〜請求項４のいずれか一項に記載の計器において、前記意匠を指示する指針を有するアナログ式の計器であって、前記指針の基端部に覆設される指針キャップは、その裾部に前記第２光源から発せられて前記表示板を照射する光が直接当たるような形状になっている、ことを特徴とする。
【００１７】
請求項５記載の発明によれば、指針キャップは、その裾部に第２光源から発せられて表示板を照射する光が直接当たるような形状になっているので、表示板上にできる指針キャップの影を最小限に抑えることができる。
【発明の効果】
【００１８】
請求項１記載の発明によれば、第１光源によって表示板が背面側から照明され、第２光源によって表示板の表面側が照明され、特に、第２光源から発せられる光は規制部で反射されて表示板の表示面に導かれる。特に、第２光源から発せられて表示面以外に向かう光は規制部で規制される。よって、表示面が相対的に明るくなる。したがって、表示面が鮮やかに浮かびあがって装飾性を向上させると共に視認性を向上させることができる。
【００１９】
請求項２記載の発明によれば、第２光源は点灯又は非点灯のいずれかに制御される。よって、一般的な背面からの照明と第２光源による照射照明との切替え表示が可能になる。したがって、表示面の注目度が増して視認性をより向上させると共に斬新な装飾効果をもたらすことができる。
【００２０】
請求項３記載の発明によれば、第１光源から発せられて表示板を透過した光の色と、第２光源から発せられて表示板を照射する光の色とが異なるので、表示面の注目度が増して視認性を更に向上させると共に斬新な装飾効果をもたらすことができる。
【００２１】
請求項４記載の発明によれば、見返しの前方にスモーク系の表ガラスが覆設されているので、表示面がより一層鮮やかに浮かびあがって装飾性及び視認性をより一層向上させることができる。
【００２２】
請求項５記載の発明によれば、指針キャップは、その裾部に第２光源から発せられて表示板を照射する光が直接当たるような形状になっているので、表示板上にできる指針キャップの影を最小限に抑えることができる。したがって、装飾性及び視認性を更に一層向上させることができる。
【発明を実施するための最良の形態】
【００２３】
以下、本発明の実施の形態を図面に基づいて説明する。図１は、本発明の一実施形態に係る計器の要部を示す斜視図である。図２は、図１に示す計器の断面図である。図３は、図１の計器における表示板の断面図である。なお、図２は、図１に示す計器の中央部付近における断面形状を示している。まお、図１において、表ガラス２５は省略されている。
【００２４】
図１及び図２に示すように、実施形態の計器１００は、ケース１０、指針１１、表示板１２、リング１３、見返し１４、基板１５、第２光源１６、拡散板１７、裏カバー１８及び第１光源１９等を含んで構成される。
【００２５】
ケース１０は、例えば、白色の樹脂製であり、この計器１００の概形を構成する。ケース１０には、お椀状の斜面を有する第１光源１９の収容部も一体形成されている。指針１１は、表示板１２の表面側を回動して、数字や目盛り等の意匠を指示する。指針１１には、指針発光用の図示しないホットスタンプも施されている。指針１１の基端部には、円錐台状の指針キャップ１１１が被せられている。
【００２６】
表示板１２は、例えば、透明生地のポリカーボネイト製のシートであり、数字１２１や目盛り１２２等の意匠が形成されている。詳しくは、図３に示すように、表示板１２の生地１２０の表面は、数字１２１や目盛り１２２等を中抜きするようにして、遮光黒で着色されており、その上は例えばベージュ等の明色系の表面色で着色されている。数字１２１や目盛り１２２等は白色、赤色、青色等で着色されている。一方、表示板１２の生地１２０の裏面は、調光用白で着色されている。表示板１２には、指針１１の回転軸が挿通される孔も設けられている。リング１３は、例えば、銀色の樹脂製であり、半円状をしており、表示板１２に沿うようにして取り付けられる。
【００２７】
見返し１４は、表示板１２の半円状の表示面を囲むような形状で開口して、この表示面以外の部分を隠匿する。見返し１４は、例えば、艶消しされた黒色等の暗色系の樹脂製であり、表示板１２と平行な面と表示板１２と略垂直な面とで構成されている。表示板１２と平行な面には、方向指示部１４１やシフトインジケータ１４２が切り抜かれて形成されている。一方、表示板１２と垂直な面には、第２光源１６から発せられて表示面以外に向かう光を規制する規制部１４ａが形成されている。規制部１４ａは、表示板１２と垂直な面が三角形状の溝状に掘り下げられるようにして形成されている。規制部１４ａの縦壁は、第２光源１６から発せられて表示面以外に向かう光を規制するように形成されている。
【００２８】
第２光源１６は、例えば、白色光を発する発光ダイオードであり、規制部１４ａの端部に配置された光源用基板１５上に搭載されている。第２光源１６は、ドライバの視点側からは見えないように、計器１００の最低部付近に配置されている。拡散板１７は、白濁樹脂製であり、表示板１２の背面に重着される。拡散板１７は、第１光源１９から発せられる光を受けて、均質化して表示板１２の背面に与える。裏カバー１８は、ケース１０の裏側に取り付けられて、計器１００の裏側を覆う。
【００２９】
第１光源１９は、例えば、白色光を発する発光ダイオードであり、表示板１２から離間して基板２０に搭載されている。基板２０には、指針１１を所定の計測値に応じて所定角度だけ回転させるムーブメント２１、指針用の光源２２やＩＣチップ等の電子部品も搭載されている。光源２２の上方には、光源２２から発せられる光を指針１１の基端部に効率的に与えるための、導光リングが配置されている。
【００３０】
第２光源カバー２４は、上記規制部１４ａ、基板１５及び第２光源１６を覆うようにして、計器１００の下部に取り付けられる。更に、この第２光源カバー２４の一部及び上記見返し１４の前面を覆うようにして、表ガラス２５が取り付けられる。表ガラス２５は、計器１００の前面をブラックフェース化するために、スモーク系の表ガラスであることが好ましい。
【００３１】
次に、図４及び図５を加えて、上記第１光源１９及び第２光源１６を点灯制御するためのハードウエア及び計器１００の作用について説明する。図４は、本発明の一実施形態に係る点灯制御を行うためのハードウエアを示すブロックである。図５は、本発明の一実施形態に係る点灯制御の処理手順を示すフローチャートである。
【００３２】
図４に示すように、第１及び第２光源の点灯制御を行うためのハードウエアは、制御部ＣＰＵ、制御部ＣＰＵに電気接続された第１光源用スイッチＳＷ１、第２光源用スイッチＳＷ２、照度センサＳＮ及びスイッチングトランジスタＴＲ１、ＴＲ２を含んで構成される。なお、図中、ＬＤ１及びＬＤ２はそれぞれ、第１光源１９及び第２光源１６に対応する。また、制御部ＣＰＵは、請求項の点灯制御手段に対応する。
【００３３】
このような構成において、図５のステップＳ１においてイグニッションスイッチＯＮに応答してイニシャライズが完了すると、第１光源用スイッチＳＷ１がＯＮされる。これによって、トランジスタＴＲ１がＯＮされて第１光源１９（ＬＤ１）が点灯し表示板１２が背面側から照明される。また、これと同時に、指針１１の照明も開始される。なお、ここまでの照明方法は、一般的に行われている方法と同様である。
【００３４】
次に、ステップＳ２においては、第２光源用スイッチＳＷ２がＯＮされるのが待機されており（ステップＳ２のＮ）、第２光源用スイッチＳＷ２がＯＮされると（ステップＳ２のＹ）ステップＳ３に進んでトランジスタＴＲ２がＯＮされて照射照明すなわち第２光源１６（ＬＤ２）がＯＮされる。これによって、表示板１２が表面側から照明される。なお、第２光源１６がＯＮされるタイミングは、第２光源用スイッチＳＷ２のＯＮ時に替えて、照度センサＳＮにより検出される車両周囲の光量が所定値よりも低下したときであってもよい。
【００３５】
第２光源１６が点灯すると、図１及び図２に示すように、第２光源１６から発せられる光の一部は、Ｌ１で示すように、直接的に表示板１２の方向に向かう。なお、この光Ｌ１は、見返し１４にも入射するが、この成分は、見返し１４は暗色系であるのでほとんどが吸収されてしまう。また、第２光源１６から発せられて表示面以外に向かう光は、Ｌ２で示すように、規制部１４ａで規制すなわち遮断される。よって、表示板１２の表示面は、それ以外の部分よりも相対的に明るくなる。したがって、表示板１２の表示面が鮮やかに浮かびあがって視認される。
【００３６】
また、ステップＳ２によって、ステップＳ１による一般的な背面からの照明に対して、ステップＳ３による第２光源１６による照射照明を選択的に付加することが可能になる。したがって、ステップＳ３のタイミングで、表示面の注目度が増して視認性をより向上させると共に斬新な装飾効果をもたらすことができる。なお、照度センサＳＮを利用して第２光源１６を点灯させることにより、薄暮時において表示板１２の表示面の輝度アップを自動的に行うことができる。
【００３７】
また、第１光源１９から発せられて表示板１２を透過した光の色（例えば、意匠１２１、１２２の発光色）と第２光源１６の発光色とが異なるようにしておくと、第２光源１６の点灯によって、例えば、意匠１２１、１２２の色が変化したように視認される。したがって、ステップＳ３のタイミングで、表示面の注目度が増して視認性を更に向上させると共に斬新な装飾効果をもたらすことができる。更に、文字板表面にシルバー印刷等の有色印刷を施すことにより、光源色を変えることなく文字板表示面を鮮やかに浮き上がらせることができる。
【００３８】
更に、表ガラス２５をスモーク系にすることによって、表示面がより一層鮮やかに浮かびあがったように視認されて、装飾性及び視認性をより一層向上させることができる。
【００３９】
なお、上記処理手順において、第２光源１６及び第１光源１９の点灯タイミングを逆にしてもよい。
【００４０】
次に、図６〜図９を加えて、上記指針キャップ１１１の形状による効果について説明する。図６は、実施形態の計器に対して一般的に想定される指針キャップを用いた例を示す斜視図である。図７は、図６に示した指針キャップによる問題点を説明するための図である。図８は、実施形態に係る指針キャップを示す斜視図である。図９は、図８に示した指針キャップによる効果を説明するための図である。なお、図６において、図１と共通する部分には、同一の符号を付し、重複する説明は省略する。
【００４１】
図６に示すように、図１及び図２で示した計器１００に対して一般的に想定される円筒型の指針キャップ１１２を用いると、第２光源１６から発せられる光Ｌ１によって指針キャップ１１２の影１１２ｓが表示板１２上にできてしまう。詳しくは、図７に示すように、第２光源１６から発せられる光Ｌ１は、円筒型の指針キャップ１１２に当たって、表示板１２上に指針キャップ１１２の影１１２ｓを作り、ドライバの視点ＥＰからはかなり広めの影１１２ｓが視認されることになる。したがって、表示板１２の表示部の見栄えや視認性があまりよくない。
【００４２】
これに対して、実施形態の指針キャップ１１１を用いると、図８に示すように、第２光源１６から発せられる光Ｌ１によって、表示板１２上には指針キャップ１１１による影はほとんどできることはない。すなわち、指針キャップ１１１は、側面１１１ａ及び上面１１１ｂを有する円錐台状に形成されている。詳しくは、図９に示すように、側面１１１ａは、光Ｌ１の光路に一致するように形成されている。逆にいうと、側面１１１ａを延長していくと第２光源１６に行き当たることになる。このときの側面１１１ａは指針軸に対して角度θをなしている。指針キャップ１１１をこのような形状にすることにより、ウエイト等の収容スペースを十分維持しつつ、指針キャップの影を最小限に抑えることができる。
【００４３】
但し、上記角度θよりも広くなるように、指針キャップ１１１の側面１１１ａを設定すれば、ウエイト等の収容スペースは若干減少するものの、同様に、指針キャップの影を最小限に抑えることができる。すなわち、図９に示すように、指針キャップ１１１は、その裾部１１１ｃに第２光源１６から発せられて表示板１２を照射する光Ｌ１が直接当たるような形状になっていればよい。よって、指針キャップ１１１の形状は、例示する円錐台以外の形状、例えば、円錐状であってもよい。このように、指針キャップ１１１を用いることによって、指針キャップの影を最小限に抑えて、装飾性及び視認性を更に一層向上させることができる。
【００４４】
以上説明したように、本発明の実施形態によれば、装飾性及び視認性が非常に良好な計器を得ることができる。
【００４５】
なお、第２光源をこの計器における上方に配置し、斜め上方から表示板を照射するようにしてもよいし、斜め上方及び斜め下方の両方向から表示板を照射するように、第２光源を複数個配置してもよい。また、本発明は、速度ゲージ以外のゲージに適用してもよいし、計器に含まれる複数種のゲージに適用するようにしてもよい。
【図面の簡単な説明】
【００４６】
【図１】本発明の一実施形態に係る計器の要部を示す斜視図である。
【図２】図１に示す計器の断面図である。
【図３】図１の計器における表示板の断面図である。
【図４】本発明の一実施形態に係る点灯制御を行うためのハードウエアを示すブロックである。
【図５】本発明の一実施形態に係る点灯制御の処理手順を示すフローチャートである。
【図６】実施形態の計器に対して一般的に想定される指針キャップを用いた例を示す斜視図である。
【図７】図６に示した指針キャップによる問題点を説明するための図である。
【図８】実施形態に係る指針キャップを示す斜視図である。
【図９】図８に示した指針キャップによる効果を説明するための図である。
【図１０】この種の従来の計器を示す断面図である。
【図１１】図１０の計器における表示板を示す正面図である。
【符号の説明】
【００４７】
１１  指針
１２  表示板
１３  リング
１４  見返し
１４ａ  規制部
１５  基板
１６  第２光源
１００  計器
１１１  指針キャップ
【図１】
0004834375.tif 000002
【図２】
0004834375.tif 000003
【図３】
0004834375.tif 000004
【図４】
0004834375.tif 000005
【図５】
0004834375.tif 000006
【図６】
0004834375.tif 000007
【図７】
0004834375.tif 000008
【図８】
0004834375.tif 000009
【図９】
0004834375.tif 000010
【図１０】
0004834375.tif 000011
【図１１】
0004834375.tif 000012